(57)【要約】【課題】保護者と乳幼児が一緒に入浴等をした後、両者の体の冷えを防止しながら、容易に体を拭くことができるバスローブを提供すること。【解決手段】前身頃が開閉可能とされることで保護者に着用され、吸水性を有するローブ本体と、このローブ本体に対して着脱可能に係止され、吸水性を有するシート体とを備え、前記ローブ本体に設けられたローブ側係止手段と、前記シート体に設けられたシート側係止手段とが、前身頃の略上下方向に沿って係止されて、前記ローブ本体と前記シート体とが着脱可能に係止されるようになっており、前記シート体は、前記ローブ側係止手段に係止された際に、乳幼児に被せる被覆領域と、乳幼児の体を拭くための拭取り領域とを有する。【選択図】図３
2008050723.tif 000002
【特許請求の範囲】
【請求項１】
前身頃が開閉可能とされることで保護者に着用され、吸水性を有するローブ本体と、
このローブ本体に対して着脱可能に係止され、吸水性を有するシート体と
を備え、
前記ローブ本体に設けられたローブ側係止手段と、前記シート体に設けられたシート側係止手段とが、前身頃の略上下方向に沿って係止されて、前記ローブ本体と前記シート体とが着脱可能に係止されるようになっており、
前記シート体は、前記ローブ側係止手段に係止された際に、乳幼児に被せる被覆領域と、乳幼児の体を拭くための拭取り領域とを有する
ことを特徴とするバスローブ。
【請求項２】
前記被覆領域は、少なくとも乳幼児の上半身に被せるようになっており、
前記シート側係止手段は、乳幼児の頭部よりも下側に配置されている
ことを特徴とする請求項１に記載のバスローブ。
【請求項３】
前記シート側係止手段は、前記シート体の左右の縁部に設けられて、前記ローブ本体の前身頃の左右両方に設けられた前記ローブ側係止手段と着脱可能になっていることを特徴とする請求項１または２に記載のバスローブ。
【請求項４】
前記ローブ本体は、前身頃の左右を幅方向の中央領域で開閉するために互いに分離できる突合せ部を有し、
前記突合せ部の分離される左右を互いに着脱可能に係止するための手段が前記ローブ側係止手段となっている
ことを特徴とする請求項１ないし３のいずれかに記載のバスローブ。
【請求項５】
前記ローブ側係止手段は、前記突合せ部の分離される左右それぞれの肌当接面となる内面側に配置されていることを特徴とする請求項４に記載のバスローブ。
【請求項６】
前記シート側係止手段の数に比べて、前記ローブ側係止手段の数が多いことを特徴とする請求項４または５に記載のバスローブ。
【請求項７】
前記ローブ本体は前身頃がはだけないようになっており、
前記シート体の前記シート側係止手段は、前記ローブ本体の前身頃の少なくとも一方の側縁近傍に沿って配置された前記ローブ側係止手段に、着脱可能に係止されるようになっていることを特徴とする請求項１ないし３のいずれかに記載のバスローブ。
【発明の詳細な説明】
【技術分野】
【０００１】
本発明は、入浴やシャワー後などの濡れた身体に着用するバスローブに関する。
【背景技術】
【０００２】
育児中の母親等の保護者は、乳幼児と一緒に入浴をした後などに、乳幼児の体が冷えないように、乳幼児を速やかに拭くようにしている。
例えば、従来は、乳幼児用バスローブに頭部を拭くための布地を取り付け、そのバスローブを着させれば、乳幼児の頭髪の水分を吸収することができるようにしている（例えば、特許文献１参照）。
一方、入浴後は、保護者も裸の状態であるため、自らもタオル地等からなるバスローブを羽織るなどして、体の冷えを防止している。
【０００３】
なお、上述した背景技術と直接は関係しないが、外出時等の防寒対策として、抱き上げた乳幼児を支持・保温等するための所謂おんぶ抱っこ用布地を、保護者が着る被服に着脱可能に取り付けて、乳幼児を抱っこしながらも、シルエットを美しく見せるようにした被服等がある（例えば、特許文献２及び３参照）
【０００４】
【特許文献１】実公平０７−２５６７号公報
【特許文献２】特開平１０−１３０９１４号公報
【特許文献３】実開平４−８１９１１号公報
【発明の開示】
【発明が解決しようとする課題】
【０００５】
しかしながら、保護者および乳幼児の体を、双方、湯冷め等しないようにしながら、手際よく拭くことは大変であり、特に、歩行できるようになり、じっとしていられない乳幼児に対応しながら、これらの行為を行なうことは困難である。
本発明は上記課題を解消し、保護者と乳幼児が一緒に入浴等をした後、両者の体の冷えを防止しながら、容易に体を拭くことができるバスローブを提供することを目的としている。
【課題を解決するための手段】
【０００６】
上記課題は、請求項１の発明にあっては、前身頃が開閉可能とされることで保護者に着用され、吸水性を有するローブ本体と、このローブ本体に対して着脱可能に係止され、吸水性を有するシート体とを備え、前記ローブ本体に設けられたローブ側係止手段と、前記シート体に設けられたシート側係止手段とが、前身頃の略上下方向に沿って係止されて、前記ローブ本体と前記シート体とが着脱可能に係止されるようになっており、前記シート体は、前記ローブ側係止手段に係止された際に、乳幼児に被せる被覆領域と、乳幼児の体を拭くための拭取り領域とを有するバスローブにより達成される。
【０００７】
請求項１の発明の構成によれば、吸水性を有するローブ本体及びシート体を備え、ローブ本体に設けられたローブ側係止手段と、シート体に設けられたシート側係止手段とが、前身頃の略上下方向に沿って係止されて、ローブ本体とシート体とが着脱可能に係止されるようになっており、シート体は、ローブ本体に係止された際に、乳幼児に被せる被覆領域を有する。したがって、保護者は、例えば、シート体が係止されたローブ本体を着ながら、シート体の被覆領域内に乳幼児を招き入れて、ローブ本体とシート体の双方で、保護者および乳幼児の身体を覆って、湯冷め等を防止することができる。
そして、シート体は、ローブ本体に係止された際、乳幼児に被せる被覆領域だけでなく、乳幼児の体を拭くための拭取り領域を有する。したがって、保護者は、上述のように、シート体の被覆領域内に乳幼児を招き入れて、例えば、一方の手で乳幼児を抱きながら、他方の手で拭取り領域を把持し、乳幼児の体を拭くことができる。
さらに、ローブ側係止手段とシート側係止手段とは、前身頃の略上下方向に沿って係止される。したがって、上述のように、一方の手で乳幼児を抱きながら、他方の手で乳幼児の体を拭く際、シート体は略上下方向のズレ落ちが防止されているので、その分、保護者はシート体を抑える必要がなくなり、両手を使って乳幼児を拭き易くなる。
しかも、ローブ本体とシート体とは着脱可能とされているため、例えば未だ立つことができない乳幼児の場合には、保護者がローブ本体を着用した状態で、ローブ本体から取り外されたシート体を使って乳幼児の拭き取りができるなど、乳幼児の発達段階に応じて使用することができる。
【０００８】
請求項２の発明は、請求項１の発明の構成において、前記被覆領域は、少なくとも乳幼児の上半身に被せるようになっており、前記シート側係止手段は、乳幼児の頭部よりも下側に配置されていることを特徴とする。
請求項２の発明の構成によれば、被覆領域は、少なくとも乳幼児の上半身に被せるようになっており、シート側係止手段は、乳幼児の頭部よりも下側に配置されている。したがって、被覆領域の乳幼児の頭部に被せる部分は、シート側係止手段による制限を受けずに自由端部となるため、自由に動かして頭部周辺を拭くことができる。
【０００９】
請求項３の発明は、請求項１または２の発明の構成において、前記シート側係止手段は、前記シート体の左右の縁部に設けられて、前記ローブ本体の前身頃の左右両方に設けられた前記ローブ側係止手段と着脱可能になっていることを特徴とする。
請求項３の発明の構成によれば、シート側係止手段は、シート体の左右の縁部に設けられて、ローブ本体の前身頃の左右両方に設けられたローブ側係止手段と着脱可能になっているため、左右の各係止手段の内、一方を選択して係止し、他方側のシート体等によって拭き取ることができるので、利き手を問わずに、上述した第１または第２の発明における作用効果を発揮できる。
【００１０】
請求項４の発明は、請求項１ないし３の発明のいずれかの構成において、前記ローブ本体は、前身頃の左右を幅方向の中央領域で開閉するために互いに分離される突合せ部を有し、前記突合せ部の分離される左右を互いに着脱可能に係止するための手段が前記ローブ側係止手段となっていることを特徴とする。
請求項４の発明の構成によれば、ローブ本体は、前身頃の左右を中央領域で開閉するために互いに分離できる突合せ部を有し、この突合せ部の左右を互いに着脱可能に係止するための手段がローブ側係止手段となっている。このため、ローブ側係止手段は、突合せ部の左右を係止する手段とシート体を係止する手段とを兼ねることができる。したがって、ローブ側係止手段とシート側係止手段とを係止せずにローブ本体を使用する場合には、保護者は、通常のバスローブ同様に違和感なくローブ本体を使用できる。また、突合せ部の左右を係止せずに開いた状態で、ローブ側係止手段とシート側係止手段とを係止して、シート体の被覆領域内に乳幼児を招き入れれば、乳幼児は保護者の肌に触れることになりスキンシップが図れる。
【００１１】
請求項５の発明は、請求項４の発明の構成において、前記ローブ側係止手段は、前記突合せ部の分離される左右それぞれの肌当接面となる内面側に配置されていることを特徴とする。
この点、通常の被服の場合、突合せ部を留めるための係止手段である、例えばスナップは、突合せ部の左右いずれか一方が外側に、他方が内側に設けられており、突合せ部を留めるためには、スナップの裏に指を添える必要があることから、一方のスナップ近傍の布地を折り畳むような動作をしなければならない。
ところが、請求項５の発明の構成によれば、ローブ側係止手段は、突合せ部の分離される左右それぞれの肌当接面側に配置されている。したがって、突合せ部を折り畳むような動作をしなくても、ローブ側係止手段の裏側に指を添えることができ、突合せ部を速やかに留めることができる。また、係止された左右の突合せ部を分離させる際にも、左側のローブ側係止手段と右側のローブ側係止手段とが対向する方向に力を加えて、容易に左右の突合せ部を分離させることができる。
【００１２】
請求項６の発明は、請求項４または５の発明の構成において、前記シート側係止手段の数に比べて、前記ローブ側係止手段の数が多いことを特徴とする。
請求項６の発明の構成によれば、シート側係止手段の数に比べて、ローブ側係止手段の数が多いため、ローブ側係止手段とシート側係止手段とを係止させた場合、ローブ側係止手段が余る。したがって、シート側係止手段を係止させて使用する場合であっても、この余ったローブ側係止手段で突合せ部を留めて、乳幼児を拭いている最中にローブ本体がはだけないようにすることができる。
【００１３】
請求項７の発明は、請求項１ないし３の発明の構成のいずれかにおいて、前記ローブ本体は前身頃がはだけないようになっており、前記シート体の前記シート側係止手段は、前記ローブ本体の前身頃の少なくとも一方の側縁近傍に沿って配置された前記ローブ側係止手段に、着脱可能に係止されるようになっていることを特徴とする。
請求項７の発明によれば、ローブ本体は前身頃がはだけないようになっており、シート側係止手段は、ローブ本体の前身頃の少なくとも一方の側縁近傍に沿って、着脱可能に係止されるようになっている。このため、保護者がローブ本体を着用すると前身頃まで覆われた状態となり、シート体をローブ本体の前身頃の側縁近傍に係止して、シート体の内側に乳幼児を迎え入れた際、シート体と、ローブ本体のはだけていない前身頃との間に乳幼児を迎え入れることができる。したがって、保護者の身体を確実に覆った状態で使用できるだけでなく、乳幼児の前面と背面に付着した水分を、シート体とローブ本体の前身頃とで、同時に吸収することができる。
【発明の効果】
【００１４】
以上説明したように、本発明によれば、保護者と乳幼児が一緒に入浴等をした後、両者の体の冷えを防止しながら、容易に体を拭くことができるバスローブを提供できる。
【発明を実施するための最良の形態】
【００１５】
以下、本発明の好適な実施の形態を添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１６】
図１および図２は、本発明の実施形態に係るバスローブ１０を示しており、図１はバスローブ１０のローブ本体２０の概略正面図、図２はこのローブ本体２０に取り付けられるシート体３０の概略正面図である。
これらの図に示すように、バスローブ１０は、前身頃が開閉可能とされることで保護者に着用されるローブ本体２０と、このローブ本体２０に対して着脱可能に取り付けられるシート体３０とを備えている。このバスローブ１０については、ローブ本体２０、シート体３０の順に説明してから、これらの着脱構造や使用方法などについて説明する。
【００１７】
まず、ローブ本体２０について、図１を参照しながら説明する。
ローブ本体２０は、入浴後だけではなく、シャワーを浴びた後、或いは水泳の後などに用いることができ、吸水性を有する材料で形成され、例えば、吸水性や保温性のよい綿や綿と他の材料を混合した綿混材料などの素材が用いられたタオル地やガーゼ地、ワッフル地等となっている。これにより、ローブ本体２０は、着用した保護者の体に付着した水分を素早く吸収しつつ、保護者の体が冷めるのを防ぐことができる。
【００１８】
なお、ローブ本体２０は、例えば保護者の膝上までを覆うような短いものでも勿論構わないが、好ましくは、保護者の手首から足首やふくらはぎまでを覆うようにして、広い面積の吸収ができつつ、体の冷えを有効に防止するとよい。本実施形態のローブ本体２０は、さらに、頭部を覆うことができるフード２１も設けることで、保護者の顔や手足を除くほとんど全身を覆い、効率的に水分を吸収できつつ、体の冷えをより有効に防止している。
【００１９】
また、本実施形態のローブ本体２０は、速やかに着用できるようになっている。
すなわち、ローブ本体２０は、前身頃の左右を互いに分離して、脱ぎ着する際に開閉可能となっている突合せ部２２を有し、この突合せ部２２は、前身頃の幅方向の中央領域に配置され、分離した左右２２ａ，２２ｂの内面（肌当接面）を、略上下方向に沿って、互いに突き合わせるようになっている。これにより、突合せ部２２を突合せて着用する際、左右の手を交差させずに、ローブ本体２０を前身頃側で開閉することができる。
【００２０】
具体的には、突合せ部２２には、その左右２２ａ，２２ｂを互いに着脱可能に係止するためのローブ側係止手段２４が設けられており、このローブ側係止手段２４は、突合せ部２２の左右２２ａ，２２ｂそれぞれの内面（肌当接面）に配置されている。
本実施形態の場合、ローブ側係止手段２４は、凸状部を凹状部に嵌合させるプラスチック製のスナップ式のボタンからなっており、突合せ部２２の左右いずれか一方２２ａの内面に雌型スナップ２４ａの凹状部が、他方２２ｂの内面に雌型スナップ２４ａに嵌合させる雄型スナップ２４ｂの凸状部がそれぞれ複数箇所設けられている。
【００２１】
これにより、速やかにローブ本体２２を着用することができる。すなわち、通常の被服のスナップの場合、突合せ部の左右いずれか一方が外側に、他方が内側に設けられており、突合せ部を留めるためには、スナップの裏に指を添える必要があることから、一方のスナップ近傍の生地を折り畳むような動作をしなければならない。ところが、ローブ側係止手段２４は、突合せ部２２の左右２２ａ，２２ｂそれぞれの内側に配置されているので、折り畳むような動作をしなくても、ローブ側係止手段２４の裏に指を添えて、突合せ部２２を速やかに留めることができる。
また、係止された左右の突合せ部２２ａ，２２ｂを分離させる際にも、雌型スナップ２４ａと雄型スナップ２４ｂとが対向する方向に力を加えて、左右の突合せ部２２ａ，２２ｂを引っ張ることができるため、容易に雌型スナップ２４ａと雄型スナップ２４ｂとを分離させることができる。
【００２２】
なお、このローブ側係止手段２４は、保護者の高さ方向（図１の上下方向）に沿って、突合せ部２２の左右それぞれに複数設けられており、本実施形態の場合、５個ずつ均等な間隔で配置されている。なお、突合せ部２２のスナップ２４ａ，２４ｂは、一方の内面と他方の外面にそれぞれ形成してもよい。
また、このローブ本体２０は、前身頃の左右それぞれにポケット２６を有しており、このポケット２６は、保護者が腕を下に垂らした際、その手首付近に位置するように配置されている。
【００２３】
次に、シート体３０について、図２を中心に参照しながら説明する。
シート体３０は、全体が略平面状に形成され、吸水性を有する材料をもって乳幼児の体を拭けるようになっている。なお、シート体３０は吸水性を有すれば特定の材料に限定されるものではないが、本実施形態の場合、図１に示すローブ本体２０と一体感を醸し出せるように、ローブ本体２０と同様の材料で形成されている。
【００２４】
このシート体３０は、図２に示すように、平坦な場所で広げた場合、少なくとも水平方向（図２の左右方向であって乳幼児の幅方向）の最大幅Ｗ０の寸法が、乳幼児の幅Ｗ２に比べて大きく形成されている。本実施形態の場合、シート体３０は、その最大幅Ｗ０が保護者の幅よりも大きく形成されている。
さらに、シート体３０については、その上に自立歩行が困難な乳幼児Ｂを載置した場合、乳幼児Ｂと正対した投影領域の外形よりも大きな外形を有するようになっている。
【００２５】
具体的には、シート体３０は多角形、本実施形態の場合は略正方形からなっており、一つの角部３４に乳幼児Ｂの頭部Ｈを置いた場合、この角部３４に連接する二辺の縁部３０ａ，３０ｂが乳幼児Ｂから離れる方向に延びており、水平方向（図２の左右方向）について、乳幼児Ｂの胸部Ｂ１から足Ｂ２までの間で乳幼児Ｂから最も離れた部位（本実施形態の場合は角部３５，３６）を有するようになっている。
そして、シート体３０は、自立歩行困難な乳幼児Ｂから最も離れた部位（本実施形態の場合は角部３５，３６）までの幅寸法Ｗ１が、乳幼児Ｂの幅寸法Ｗ２と同等か、或いはそれ以上大きく形成されている。
【００２６】
この乳幼児Ｂから角部３６までの領域Ｅ１や、乳幼児Ｂから角部３５までの領域Ｅ３が、後述するように、シート体３０をローブ本体２０に取り付けた場合における、母親等の保護者が手を使って乳幼児を拭くための拭取り領域となる。また、乳幼児Ｂと正対した投影面積の領域Ｅ０や、後述する頭部に対応する乳幼児用フード３８が、後述するように、シート体３０をローブ本体２０に取り付けた場合における乳幼児に被せる被覆領域となる。
【００２７】
また、自立歩行が困難な乳幼児Ｂをシート体３０の角部３４に置いた場合、乳幼児Ｂの高さ方向（図２の上下方向）について、シート体３０は、乳幼児Ｂの足Ｂ２より下側にも設けられている。この際、この下側の領域Ｅ２は、足Ｂ２を支点にして、乳幼児Ｂの高さ方向に折り返した場合、領域Ｅ２の乳幼児Ｂから最も離れた部位（本実施形態の場合は角部３７）が乳幼児Ｂの頭部Ｈの下側近傍（即ち顔の下側）に当接できるような長さＬ１を有している。
【００２８】
そして、本実施形態の場合、シート体３０は、頭部Ｈに対応した角部３４を袋状にして、乳幼児Ｂの頭部Ｈを収容できる乳幼児用フード３８が設けられている。
具体的には、シート体３０の角部３４の上に、シート体３０と同様の材料及び形状を有する別のシートを載置して、略９０度である角に連接する二辺を縫合することで、平面視において三角形状のフード３８が形成されている。
なお、この三角形状のフード３８については、その中に乳幼児Ｂの頭部Ｈが入る深さＬ３を有すると共に、乳幼児Ｂの足Ｂ２を支点にして、足Ｂ２の下側の角部３７を乳幼児Ｂの高さ方向（図２の上下方向）に折り返した場合、その角部３７と三角形状のフード３８の底辺との位置が略一致するような深さＬ３を有している。
なお、本実施の形態においては、乳幼児用フード３８を形成するための別のシートは、乳幼児が載置される側の面に配置して縫合されているが、逆側の面に縫合して、使用時に反転させて使用することで乳幼児用フード３８が立体的になるよう形成してもよい。
【００２９】
次に、以上説明したローブ本体２０とシート体３０との着脱構造などについて、図１および図２を参照しながら説明する。
シート体３０は、図１のローブ本体２０の前身頃側の略上下方向（図１の上下方向、即ち保護者の高さ方向）に沿って、ローブ本体２０と着脱可能に係止される複数のシート側係止手段３２（図２参照）が設けられている。
【００３０】
すなわち、図２に示すシート側係止手段３２は、シート体３０を図１に示すローブ本体２０に取り付けるための手段であり、本実施形態の場合、図１に示す突合せ部２２に設けられた留め具と同種で、対応して着脱可能な留め具が用いられている。
具体的には、図２に示されるように、シート体３０の乳幼児用フード３８に連接する左右二辺の縁部３０ａ，３０ｂの夫々に沿って、複数のシート側係止手段３２が設けられており、図２の場合は、二辺の縁部３０ａ，３０ｂの夫々に３個のシート側係止手段３２が設けられている。
そして、シート側係止手段３２は、雄型スナップ３２ａと雌型スナップ３２ｂとから構成されており、シート体３０の左右いずれか一方の縁部３０ａには、図１に示す突合せ部２２の左右いずれか一方２２ａの雌型スナップ２４ａと嵌合される雄型スナップ３２ａが設けられている。また、図２に示すシート体３０の左右いずれか他方の縁部３０ｂには、図１に示す突合せ部２２の左右いずれか他方２２ｂの雄型スナップ２４ｂと嵌合される雌型スナップ３２ｂが設けられている。
これにより、図１に示すように、保護者自身が着用するために突合せ部２２を留めるローブ側係止手段２４は、シート側係止手段３２と着脱可能に係止されて、シート体３０をローブ本体２０に係止するための手段を兼ねることになる。
【００３１】
また、シート側係止手段３２は、図２に示すようにシート体３０に乳幼児を載置した場合、或いは、図１の一点鎖線部分に示すようにシート体３０をローブ本体２０に係止させた場合において、シート体３０の外面（乳幼児や保護者側と反対側の面）に配置されている。すなわち、本実施形態の場合、雄型スナップ３２ａの凸部や雌型スナップ３２ｂの凹部はシート体３０の外側に臨んで配置され、これにより、後述するように乳幼児を拭くときに、スナップの凹凸面が乳幼児に当たらないようにすることができる。
なお、図２では、シート体３０の内面（乳幼児用フード３８の袋状の開口部がある面）に、シート側係止手段３２が配置されているように見える円が図示されているが、この円は雄型スナップ３２ａの凸部や雌型スナップ３２ｂの凹部を容易に押すことができるように反対側に設けられた硬質性部材であり、この硬質性部材は少なくとも生地よりも硬質であるプラスチック等であって、略平滑に形成されている。
【００３２】
なお、図１および図２に示されるように、保護者および乳幼児の高さ方向（図１および図２の上下方向）について、シート側係止手段３２の数（３箇所）に比べて、ローブ側係止手段２４の数（５箇所）が多く形成されている。
このため、例えば図１の一点鎖線部分に示すように、ローブ側係止手段２４とシート側係止手段３２とを係止させた場合、ローブ側係止手段２４（図１の場合は下側２つのローブ側係止手段２４）が余り、この余ったローブ側係止手段２４で突合せ部３２を留めて、乳幼児を拭いている間にローブ本体２０がはだけないようにすることができる。
【００３３】
本発明の実施形態に係るバスローブ１０は以上のように構成されている。
次に、上述したバスローブ１０の使用方法の一例を説明する。
図３はシート体３０をローブ本体２０に取り付けて使用する一例を示しており、既に立てるようになった乳幼児に使用する状況を示している。図３（ａ）は保護者に向かって右側半身を示し、図３（ｂ）は保護者に向かって左側半身を示している。
この図に示されるように、例えば、保護者が乳幼児と入浴する場合、入浴前に、ローブ本体２０の左右の突合せ部２２の一方に設けられたローブ側係止手段２４とシート体３０の片側一方のシート側係止手段３２とを係止させておく。保護者が右利きの場合は、図３に示すように、シート体３０の雌型スナップ３２ｂ（図２参照）を、保護者に向かって右側となる他方の突合せ部２２ｂ側の雄型スナップ２４ｂに、固定しておくことが好ましい。
【００３４】
そして、お風呂から出た後に、保護者はローブ本体２０を着ると共に、係止したシート体３０の内側（保護者側）に乳幼児を招き入れる（即ち、シート体３０を乳幼児に被せる）。この際、シート体３０は、ローブ本体２０の前身頃側の略上下方向（保護者および乳幼児の高さ方向）に沿って係止されているので、図１に示すように、係止された突合せ部２２ａを軸にしてシート体３０を広げて、乳幼児を招き入れることができる。
【００３５】
次いで、図３（ａ）に示すように、シート体３０が係止された側の片手（利き手と逆側の手）で乳幼児の背中側に手を回して支えながら、その反対側の手（利き手側）で乳幼児用フード３８を最も冷やしたくない頭部に被せる。この際、シート体３０は、ローブ本体２０の略上下方向に係止されているので、多少、乳幼児が動いても、シート体３０の乳幼児に被せた領域（図３（ａ）の平行斜線で示す領域）がズレ落ちることはない。この乳幼児に被せた領域（図３（ａ）の平行斜線で示す領域）がシート体３０の被覆領域Ｅ０であって、この被覆領域Ｅ０で乳幼児の湯冷め等を防止することができる。
【００３６】
さらに、図２で示すように、シート体３０は、少なくとも水平方向の最大幅Ｗ０の寸法が、乳幼児Ｂの幅Ｗ２に比べて大きく形成されているので、図３（ｂ）に示すように、シート体３０を乳幼児に被せた場合、被覆領域Ｅ０から突出した領域（図３（ｂ）の平行斜線の領域）を有する。したがって、この被覆領域Ｅ０から突出した領域を、乳幼児を抱いた手と反対側の手（利き手側）で掴んで、乳幼児の脇腹、腹部、顔などの身体を拭くことができる。この被覆領域Ｅ０から突出した領域が乳幼児の体を拭くための拭取り領域Ｅ１となる。このとき、背中側や逆側の脇腹等は、被覆領域Ｅ０によって拭き取ることができる。
【００３７】
なお、この拭取りの際、シート体３０はローブ本体２０に係止されているので、多少、乳幼児が動いても、被覆領域Ｅ０つまりシート体３０がズレ落ちることはない。
また、図３（ａ）に示すように、シート側係止手段３２は、乳幼児の頭部よりも下側（足側）に配置されているため、被覆領域Ｅ０のうち頭部に被せる乳幼児用フード３８は、シート側係止手段３２の係止による制限を受けずに自由端部となる。したがって、この乳幼児用フード３８を自由に動かして頭部を拭くことができる。
また、シート側係止手段３２は、図２に示すように、シート体３０の左右の縁部３０ａ，３０ｂに設けられ、図１に示すローブ本体２０の左右の突合せ部２２ａ，２２ｂと着脱可能であるため、利き手を問わず、乳幼児を抱いたり拭いたりできる。
【００３８】
次いで、拭き終えた乳幼児に被服を着させるが、上述の乳幼児をシート体３０の内側に迎え入れてから、乳幼児に服を着させるまでの間、保護者はローブ本体２０を着用しているので、保護者自身の湯冷めも防止され、一定の拭き取りもできる。
その後、保護者自身も身体を拭いて着替える。
以上説明したようなバスローブ１０の使用方法は、ある程度、乳幼児が自ら立つことができる場合に、特に有効な使用方法となり、このような場合には、図３に示す使用状態では、保護者は膝立ちした状態で使用することが好ましい。
そして、このように使用することで、保護者と乳幼児を覆って身体が冷めないようにしつつ、拭取り領域等によって身体の拭き取りができるだけでなく、保護者と乳幼児が直接肌を触れ合うことで、乳幼児に安心感を与えながら拭き取ることができる。
【００３９】
なお、保護者は、自ら立つことができない乳幼児と入浴する場合、バスローブ１０を次のように使用することもできる。
まず、保護者は、図２に示すように、入浴前にシート体３０を広げておき、その後、乳幼児と一緒に入浴をする。そして、入浴後、保護者は、図２の点線部分で示すように乳幼児Ｂをシート体３０に置く。すなわち、シート体３０の角部３４に乳幼児Ｂの頭部Ｈを配置し、乳幼児用フード３８を頭部Ｈに被せる。次いで、保護者はローブ本体を着てから、シート体３０の乳幼児Ｂと正対する投影領域から突出した領域、すなわち、領域Ｅ１，Ｅ２，Ｅ３を折り返すことで乳幼児Ｂの身体を覆って、乳幼児Ｂが湯冷めしない状態とする。そして、保護者がローブ本体２０を羽織って、自らの湯冷めを防ぎつつ、乳幼児Ｂの身体を拭き取る。次いで、拭き終えた乳幼児Ｂに服などを着させた後、保護者自身も身体を拭いて着替える。
このように、シート体３０は、ローブ本体２０に対して着脱可能となっているため、ローブ本体２０から取り外して平坦な場所に広げ、その上に濡れた乳幼児を置き、乳幼児を拭くこともできる等、乳幼児の発達段階に応じた使用方法を選択できる。
【００４０】
図４および図５は、本発明の上述した実施形態の変形例に係るバスローブ１２であり、図４はローブ本体２０の概略正面図、図５はこのローブ本体２０に取り付けられるシート体３０の概略正面図である。
これらの図で図１ないし図３の実施形態で用いた符号と同一の符号を付した箇所は共通する構成であるから、重複した説明は省略し、以下、相違点を中心に説明する。
このバスローブ１２が、図１ないし図３のバスローブ１０と主に異なるのは、ローブ本体２０の突合せ部やローブ側係止手段の構成、シート体３０の形状についてである。
【００４１】
すなわち、このバスローブ１２のシート体３０は、ローブ本体２０の前身頃の側縁近傍に沿って、着脱可能に係止される。
具体的には、シート体３０については、全体形状が乳幼児の頭部に対応した角部３４を頂点とした５角形になっており、角部３４を利用して形成された乳幼児用フード３８に乳幼児Ｂの頭部を載置した際、水平方向（図５の左右方向であって乳幼児の幅方向）について、乳幼児Ｂから最も離れた位置に互いに平行な二辺が配置されている。そして、この二辺の縁部３５ａ，３５ｂのそれぞれに、ローブ本体２０と着脱可能に係止するためのシート側係止手段３２が設けられている。
このシート側係止手段３２は、図１ないし図３と同様の構造を有しており、凸状部を有する雄型スナップ３２ａと凹状部を有する雌型スナップ３２ｂとからなっており、本変形例の場合、一方の縁部３５ａに雄型スナップ３２ａが、他方の縁部３５ｂに雌型スナップ３２ｂが、それぞれ上下方向２箇所に設けられている。
【００４２】
これに対して、ローブ本体２０は、左右に分離された突合せ部２２が、スナップではなく帯２４，２４で留められて、前身頃がはだけないようになっている。
そして、ローブ本体２０は、前身頃の側縁近傍、すなわち前身頃の両脇腹側の略上下方向に沿って、シート側係止手段３２と着脱可能に係止されるスナップ２８を有している。本実施形態の場合、一方の脇腹側のスナップ２８ａは、シート側係止手段３２の一方の縁部３５ａの雄型スナップ３２ａと係止されるように雌型スナップとなっている。また、他方の脇腹側のスナップ２８ｂは、シート側係止手段３２の他方の縁部３５ｂの雌型スナップ３２ｂと係止されるように雄型スナップとなっている。
【００４３】
本発明の実施形態の変形例は以上のように構成されており、シート体３０は、ローブ本体２０の前身頃の側縁近傍に沿って、着脱可能に係止されている。このため、シート体３０をローブ本体２０に係止して、シート体３０の内側（被覆領域Ｅ０内）に乳幼児を迎え入れた際、シート体３０の被覆領域Ｅ０と、ローブ本体２０の前身頃の中央部（突合せ部２２及びその周辺）との間に乳幼児を迎え入れることができる。したがって、保護者の身体を覆った状態で、乳幼児の前面と背面に付着した水分を、ローブ本体２０の前身頃中央部の外面側とシート体３０の被覆領域Ｅ０とで、同時に吸収することができる。
【００４４】
本発明は、上記実施形態に限定されず、特許請求の範囲を逸脱しない範囲で種々の変更を行うことができる。例えば、各係止手段２４，３２はスナップだけでなく、ホックや面ファスナー、紐等の各種係止手段を採用できる。また、上記実施形態の各構成は、その一部を省略し、あるいは上記とは異なるように任意に組み合わせることができる。
【図面の簡単な説明】
【００４５】
【図１】本発明の実施形態に係るバスローブのローブ本体の概略正面図。
【図２】本発明の実施形態に係るバスローブのローブ本体に取り付けられるシート体の概略正面図。
【図３】シート体をローブ本体に取り付けて使用する一例を示しており、図３（ａ）は保護者に向かって右側半身、図３（ｂ）は保護者に向かって左側半身を示した図。
【図４】本発明の実施形態の変形例に係るバスローブのローブ本体の概略正面図。
【図５】本発明の実施形態の変形例に係るバスローブのローブ本体に取り付けられるシート体の概略正面図。
【符号の説明】
【００４６】
１０，１２・・・バスローブ、２０・・・ローブ本体、２２・・・突合せ部、２４，２４ａ，２４ｂ・・・ローブ側係止手段、３０・・・シート体、３２，３２ａ，３２ｂ・・・シート側係止手段、Ｅ０・・・被覆領域、Ｅ１・・・拭取り領域
【図１】
2008050723.tif 000003
【図２】
2008050723.tif 000004
【図３】
2008050723.tif 000005
【図４】
2008050723.tif 000006
【図５】
2008050723.tif 000007